【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
複数の通信サービスを提供するセンタ装置と、
前記センタ装置に通信回線を介して接続されるユーザ装置と、
前記ユーザ装置に設けられ、提供を受けようとする通信サービスの内容に応じて複数種類が用意される端末インタフェースユニットの少なくとも一つを装着可能な端末インタフェース装着手段と、
前記ユーザ装置に設けられ、前記端末インタフェース装着手段への端末インタフェースユニットの装着の有無を所定のタイミングで検出する端末インタフェース検出手段と、
前記ユーザ装置に設けられ、前記端末インタフェース検出手段での検出結果を含み自装置の構成を示す所定の構成情報を所定のタイミングで前記センタ装置に向けて送信する構成情報送信手段と、
前記センタ装置に設けられ、前記ユーザ装置から送信された前記構成情報に基いてユーザ構成を認識し、このユーザ構成を管理するユーザ構成管理手段と、
前記センタ装置に設けられ、前記ユーザ構成管理手段により端末インタフェースユニットの新規の装着が認識されたことに応じてその端末インタフェースユニットに対して固有の識別情報を新規に設定するとともに、既知の端末インタフェースユニットの除去が認識されたことに応じてその端末インタフェースユニットに対して設定していた識別情報の設定を無効とする識別情報設定手段と、
前記センタ装置に設けられ、前記識別情報設定手段により新規に設定された識別情報を、その識別情報の設定対象である端末インタフェースユニットが装着されているユーザ装置に対して通知する識別情報通知手段と、
前記ユーザ装置に設けられ、前記センタ装置から通知された識別情報を、設定対象である端末インタフェースユニットに対応付けて管理する識別情報管理手段とを具備したことを特徴とする通信システム。
【請求項２】
前記端末インタフェース検出手段は、前記端末インタフェース装着手段への端末インタフェースユニットの装着の有無を所定の時間間隔で定期的に検出することを特徴とする請求項１に記載の通信システム。
【請求項３】
前記ユーザ装置は、前記端末インタフェース装着手段に装着されている端末インタフェースユニットの種別を所定のタイミングで識別する端末インタフェース識別手段をさらに具備し、
前記構成情報送信手段は、前記センタ装置に向けて送信する構成情報に前記端末インタフェース識別手段での識別結果も含ませ、
かつ前記センタ装置は、前記ユーザ構成管理手段を、構成情報に含まれた前記端末インタフェース識別手段での識別結果をも含めてユーザ構成を管理するものとするとともに、前記ユーザ構成管理手段により既知の端末インタフェースユニットの除去が認識された場合には当該端末インタフェースユニットに割り当てられていた伝送帯域を空き帯域に設定し、また端末インタフェースユニットの新規の装着が認識されたことに応じて、その新規に装着された端末インタフェースユニットに対してその種別に応じた伝送帯域を割り当てる伝送帯域割り当て手段をさらに具備することを特徴とする請求項１に記載の通信システム。
【請求項４】
前記ユーザ装置と前記センタ装置とを接続する通信回線での伝送信号に、それぞれユーザ情報を１９２kbit/sで伝送することができるタイムスロットを複数含んだ伝送フレームが設定され、
かつ前記伝送帯域割り当て手段は、前記タイムスロット単位で伝送帯域の割り当てを行うことを特徴とする請求項３に記載の通信システム。
【請求項５】
前記ユーザ装置は、
前記端末インタフェース装着手段を介して端末インタフェースユニットへと出力する下り信号を伝送するための下り信号伝送路と、
前記端末インタフェース装着手段を介して取り込まれた上り信号を伝送するための上り信号伝送路と、
前記下り信号伝送路を伝送される下り信号の取り込みおよび前記上り信号伝送路への上り信号の出力を許可する端末インタフェースユニットを指定する端末インタフェース指定情報を伝送するための指定情報伝送路と、
前記上り信号伝送路へと信号出力を行っている端末インタフェースユニットが別途出力する出力元通知情報を伝送するための通知情報伝送路とをさらに具備し、
前記端末インタフェースユニットは、前記指定情報伝送路を介して到来する指定情報が自装置を指定するものである場合に、自装置の種別を示した種別情報を少なくとも含めた所定の出力元通知情報を前記通知情報伝送路へと出力する通知情報出力手段をさらに具備し、
かつ前記端末インタフェース識別手段は、前記通知情報出力手段により出力された前記出力元通知情報に含まれた前記種別情報に基づいて端末インタフェース装着手段に装着されている端末インタフェースユニットの種別を識別することを特徴とする請求項３に記載の通信システム。
【請求項６】
前記端末インタフェース識別手段は、前記端末インタフェース装着手段に装着されている端末インタフェースユニットの種別を所定の時間間隔で定期的に識別することを特徴とする請求項３に記載の通信システム。
【請求項７】
前記センタ装置は、当該センタ装置から遅延時間計測要求を送信してから、この遅延時間計測要求に対するユーザ装置からの応答が前記センタ装置に到達するまでの時間を計測することで伝送遅延を測定し、この測定した伝送遅延に基いて前記ユーザ装置の送信タイミングを制御する手段をさらに具備し、
前記構成情報送信手段は、構成情報を遅延時間計測要求に対する応答とともに送信することを特徴とする請求項１に記載の通信システム。
【請求項８】
複数の通信サービスを提供するセンタ装置と、
前記センタ装置に通信回線を介して接続されるユーザ装置と、
前記ユーザ装置と前記センタ装置を接続する前記通信回線での伝送信号に、前記センタ装置から前記ユーザ装置に向けての下り信号を伝送するための下りフレーム期間と前記ユーザ装置から前記センタ装置に向けての上り信号を伝送するための上りフレーム期間とをそれぞれ設定するとともに、かつ前記下りフレーム期間および前記上りフレーム期間に、互いに対をなす下りタイムスロットおよび上りタイムスロットを複数設定する手段と、
前記センタ装置に設けられ、予めなされた、前記端末に対する前記下りタイムスロットの割り当ての内容を記憶したタイムスロット割り当て記憶手段と、
前記センタ装置に設けられ、前記端末に送信すべき信号を所定長毎に区切り、この区切られた各信号にその宛先となる端末の識別情報を少なくとも付加して所定の下りパケットを形成するとともに、前記複数の下りタイムスロットのうちで前記下りパケットの宛先となる端末に対して割り当てられたものを前記タイムスロット割当記憶手段を参照して判定し、該当する下りタイムスロットに前記下りパケットを挿入することで下りフレームを生成する下りフレーム生成手段と、
前記センタ装置に設けられ、前記下りフレーム生成手段により生成された下りフレームを前記下りフレーム期間に前記通信回線へと送出する下りフレーム送出手段と、
前記ユーザ装置に設けられ、前記下りフレーム期間に前記通信回線を介して到来する前記下りフレームから、自装置に接続された端末の識別情報が付加された下りタイムスロットを判定し、その下りタイムスロットと割り当てられている端末との対応関係を管理する下りタイムスロット管理手段と、
前記ユーザ装置に設けられ、自装置に接続された端末から出力された信号を所定長毎に区切った信号をそれぞれ含む所定の上りパケットを形成するとともに、前記複数の上りタイムスロットのうちで前記上りパケットに挿入された信号の出力元の端末が割り当てられていた下りタイムスロットを前記下りタイムスロット管理手段の管理内容を参照して判定し、該当する下りタイムスロットと対をなす上りタイムスロットに前記上りパケットを挿入することで上りフレームを生成する上りフレーム生成手段と、
前記ユーザ装置に設けられ、前記上りフレーム生成手段により生成された上りフレームを前記上りフレーム期間に前記通信回線へと送出する上りフレーム送出手段と、
前記センタ装置に設けられ、前記上りフレーム期間に前記通信回線を介して到来する信号に含まれる各上りパケットに挿入されている信号の出力元端末を各上りパケットが挿入された上りタイムスロットと対をなす下りタイムスロットが割り当てられた端末であると判定する出力元判定手段とを具備したことを特徴とする通信システム。
【請求項９】
前記下りパケットおよび上りパケットには、１タイムスロットを用いる場合の伝送帯域が１９２kbit/sとなるような長さの信号が挿入されることを特徴とする請求項８に記載の通信システム。
【請求項１０】
複数の通信サービスを提供するセンタ装置に通信回線を介して接続されるユーザ装置において、
提供を受けようとする通信サービスの内容に応じて複数種類が用意される端末インタフェースユニットの少なくとも一つを装着可能な端末インタフェース装着手段と、
前記端末インタフェース装着手段への端末インタフェースユニットの装着の有無を所定のタイミングで検出する端末インタフェース検出手段と、
前記端末インタフェース検出手段での検出結果を含み自装置の構成を示す所定の構成情報を所定のタイミングで前記センタ装置に向けて送信する構成情報送信手段と、
前記構成情報送信手段により前記構成情報の送信を行ったのちに前記センタ装置から通知される識別情報を、設定対象である端末インタフェースユニットに対応付けて管理する識別情報管理手段とを具備したことを特徴とするユーザ装置。
【請求項１１】
前記端末インタフェース装着手段に装着されている端末インタフェースユニットの種別を所定のタイミングで識別する端末インタフェース識別手段をさらに備えるとともに、
前記構成情報送信手段は、センタ装置に向けて送信する構成情報に前記端末インタフェース識別手段での識別結果も含ませることを特徴とする請求項１０に記載のユーザ装置。
【請求項１２】
前記端末インタフェース装着手段を介して端末インタフェースユニットへと出力する下り信号を伝送するための下り信号伝送路と、
前記端末インタフェース装着手段を介して取り込まれた上り信号を伝送するための上り信号伝送路と、
前記下り信号伝送路を伝送される下り信号の取り込みおよび前記上り信号伝送路への上り信号の出力を許可する端末インタフェースユニットを指定する端末インタフェース指定情報を伝送するための指定情報伝送路と、
前記上り信号伝送路へと信号出力を行っている端末インタフェースユニットが別途出力する出力元通知情報を伝送するための通知情報伝送路とをさらに具備するとともに、
前記端末インタフェース識別手段は、前記端末インタフェースユニットより出力された所定の出力元通知情報に含まれた種別情報に基づいて前記端末インタフェース装着手段に装着されている端末インタフェースユニットの種別を識別することを特徴とする請求項１１に記載のユーザ装置。
【請求項１３】
前記端末インタフェース装着手段を介して前記端末インタフェースユニットへと出力する下り信号を伝送するための下り信号伝送路と、
前記端末インタフェース装着手段を介して取り込まれた上り信号を伝送するための上り信号伝送路とをさらに具備し、
前記下り信号伝送路および上り信号伝送路での伝送信号に、それぞれユーザ情報を１９２kbit/sで伝送することができるグループを複数含んだ伝送フレームが設定され、前記端末インタフェース装着手段に装着されている端末インタフェースユニットに関するユーザ情報の伝送がグループ単位で行われることを特徴とする請求項１０に記載のユーザ装置。
【請求項１４】
複数の通信サービスを提供するセンタ装置に通信回線を介して接続されるユーザ装置において、
前記ユーザ装置と前記センタ装置を接続する前記通信回線での伝送信号に、前記センタ装置から前記ユーザ装置に向けての下り信号を伝送するための下りフレーム期間と前記ユーザ装置から前記センタ装置に向けての上り信号を伝送するための上りフレーム期間とをそれぞれ設定するとともに、かつ前記下りフレーム期間および前記上りフレーム期間に、互いに対をなす下りタイムスロットおよび上りタイムスロットを複数設定する手段と、
前記下りフレーム期間に前記通信回線を介して到来する前記下りフレームから、自装置に接続された端末の識別情報が付加された下りタイムスロットを判定し、その下りタイムスロットと割り当てられている端末との対応関係を管理する下りタイムスロット管理手段と、
自装置に接続された端末から出力された信号を所定長毎に区切った信号をそれぞれ含む所定の上りパケットを形成するとともに、前記複数の上りタイムスロットのうちで前記上りパケットに挿入された信号の出力元の端末が割り当てられていた下りタイムスロットを前記下りタイムスロット管理手段の管理内容を参照して判定し、該当する下りタイムスロットと対をなす上りタイムスロットに前記上りパケットを挿入することで上りフレームを生成する上りフレーム生成手段と、
前記上りフレーム生成手段により生成された上りフレームを前記上りフレーム期間に前記通信回線へと送出する上りフレーム送出手段とを具備したことを特徴とするユーザ装置。
【請求項１５】
通信回線を介して接続されるユーザ装置に複数の通信サービスを提供するセンタ装置において、
前記ユーザ装置から送信されるそのユーザ装置の構成を示す所定の構成情報に基いてユーザ構成を認識し、このユーザ構成を管理するユーザ構成管理手段と、
前記ユーザ構成管理手段により端末インタフェースユニットの新規の装着が認識されたことに応じてその端末インタフェースユニットに対して固有の識別情報を新規に設定するとともに、既知の端末インタフェースユニットの除去が認識されたことに応じてその端末インタフェースユニットに対して設定していた識別情報の設定を無効とする識別情報設定手段と、
前記識別情報設定手段により新規に設定された識別情報を、その識別情報の設定対象である端末インタフェースユニットが装着されているユーザ装置に対して通知する識別情報通知手段とを具備したことを特徴とするセンタ装置。
【請求項１６】
前記ユーザ構成管理手段は、構成情報に含まれた前記端末インタフェース識別手段での識別結果も含めてユーザ構成を管理し、
前記センタ装置は、前記ユーザ構成管理手段により既知の端末インタフェースユニットの除去が認識された場合には当該端末インタフェースユニットに割り当てられていた伝送帯域を空き帯域に設定し、また端末インタフェースユニットの新規の装着が認識されたことに応じて、その新規に装着された端末インタフェースユニットに対してその種別に応じた伝送帯域を割り当てる伝送帯域割り当て手段をさらに具備することを特徴とする請求項１５に記載のセンタ装置。
【請求項１７】
通信回線を介して接続されるユーザ装置に複数の通信サービスを提供するセンタ装置において、
前記ユーザ装置と前記センタ装置を接続する前記通信回線での伝送信号に、前記センタ装置から前記ユーザ装置に向けての下り信号を伝送するための下りフレーム期間と前記ユーザ装置から前記センタ装置に向けての上り信号を伝送するための上りフレーム期間とをそれぞれ設定するとともに、かつ前記下りフレーム期間および前記上りフレーム期間に、互いに対をなす下りタイムスロットおよび上りタイムスロットを複数設定する手段と、
予めなされた、前記端末に対する前記下りタイムスロットの割り当ての内容を記憶したタイムスロット割り当て記憶手段と、
前記端末に送信すべき信号を所定長毎に区切り、この区切られた各信号にその宛先となる端末の識別情報を少なくとも付加して所定の下りパケットを形成するとともに、前記複数の下りタイムスロットのうちで前記下りパケットの宛先となる端末に対して割り当てられたものを前記タイムスロット割当記憶手段を参照して判定し、該当する下りタイムスロットに前記下りパケットを挿入することで下りフレームを生成する下りフレーム生成手段と、
前記下りフレーム生成手段により生成された下りフレームを前記下りフレーム期間に前記通信回線へと送出する下りフレーム送出手段と、
前記センタ装置に設けられ、前記上りフレーム期間に前記通信回線を介して到来する信号に含まれる各上りパケットに挿入されている信号の出力元端末を各上りパケットが挿入された上りタイムスロットと対をなす下りタイムスロットが割り当てられた端末であると判定する出力元判定手段とを具備したことを特徴とするセンタ装置。
【請求項１８】
ユーザ装置の端末インタフェース装着手段に装着されるとともに、通信端末が接続され、前記ユーザ装置と前記通信端末とのインタフェースを取るものであり、提供を受けようとする通信サービスの内容に応じたインタフェース動作を行う端末インタフェースユニットにおいて、
前記ユーザ装置に設けられている指定情報伝送路を介して到来する指定情報が自装置を指定するものであることを検出する手段と、
指定情報が自装置を指定するものであることが検出された場合に、自装置の種別を示した種別情報を少なくとも含めた所定の出力元通知情報を前記ユーザ装置に設けられている通知情報伝送路へと出力する通知情報出力手段とを具備したことを特徴とする端末インタフェースユニット。